(57)【要約】    【課題】少なくとも１台のカメラ付玄関子機、モニタ付親機、少なくとも１台のモニタ付増設親機の各機器にて設定される電源供給の電圧レベルを低いレベルで確保させ、電源供給の負担を軽減することにより、省電力化および通信伝達距離の延長化を図る。    【解決手段】少なくとも１台の玄関子機１ａ、１ｂ、親機２、少なくとも１台の増設親機３ａ、３ｂにおいて、それぞれが有する子機スピーカ１３ａ、１３ｂ、親機スピーカ２０、増設親機スピーカ３０ａ、３０ｂを駆動させるためのパワーアンプ１０３ａ、１０３ｂ、２０２、３０２ａ、３０２ｂとして、電力変換効率が高く熱の発生による電力損失が小さいＰＷＭおよびΣΔ変調方式のうち何れかの変調方式のＤ級アンプを搭載する。    【選択図】図２
2005159890.tif 000002
【特許請求の範囲】
【請求項１】
少なくとも１台の玄関子機（１ａ、１ｂ）に、２線ケーブル（Ｌ1a、Ｌ1b）によって親機（２）或いは前記親機を介して２線ケーブル（Ｌ2a、Ｌ2b）によって少なくとも１台の増設親機（３ａ、３ｂ）を接続し、
前記玄関子機は、来訪者の音声を居住者へと伝えるためのマイク（１２ａ、１２ｂ）、前記居住者からの音声を前記来訪者へと伝えるためのスピーカ（１３ａ、１３ｂ）、前記スピーカを駆動させるためのパワーアンプ（１０３ａ、１０３ｂ）、前記親機との間で各種信号の送受信を行うためのインターフェース（１０４ａ、１０４ｂ）を備え、
前記親機および前記増設親機は、前記居住者の音声を前記来訪者へと伝えるためのマイク（２１、３１ａ、３１ｂ）、前記来訪者の音声を前記居住者へと伝えるためのスピーカ（２０、３０ａ、３０ｂ）、前記スピーカを駆動させるためのパワーアンプ（２０２、３０２ａ、３０２ｂ）、前記居住者と前記来訪者との間の通話を切り換えるためのハウリング防止回路（２０３、３０３ａ、３０３ｂ）、前記玄関子機との間で各種信号の送受信を行うためのインターフェース（２０５、３０５ａ、３０５ｂ）を備え、
前記玄関子機、前記親機、前記増設親機には、前記パワーアンプとしてＤ級アンプを搭載することを特徴とするインターホン装置。
【請求項２】
少なくとも１台の玄関子機（１ａ、１ｂ）に、２線ケーブル（Ｌ1a、Ｌ1b）によって親機（２）或いは前記親機を介して２線ケーブル（Ｌ2a、Ｌ2b）によって少なくとも１台の増設親機（３ａ、３ｂ）を接続し、
前記玄関子機は、前記来訪者の音声を居住者へと伝えるためのマイク（１２ａ、１２ｂ）、前記居住者からの音声を前記来訪者へと伝えるためのスピーカ（１３ａ、１３ｂ）、前記親機との間で各種信号の送受信を行うためのインターフェース（１０６ａ、１０６ｂ）を備え、
前記親機および前記増設親機は、前記居住者の音声を前記来訪者へと伝えるためのマイク（２１、３１ａ、３１ｂ）、前記来訪者の音声を前記居住者へと伝えるためのスピーカ（２０、３０ａ、３０ｂ）、前記居住者の音声を前記玄関子機へと伝送するためのパワーアンプ（２０６、３０６ａ、３０６ｂ）、前記スピーカを駆動させるためのパワーアンプ（２０２、３０２ａ、３０２ｂ）、前記居住者と前記来訪者との間の通話を切り換えるためのハウリング防止回路（２０３、３０３ａ、３０３ｂ）、前記玄関子機との間で各種信号を送受信するためのインターフェース（２０７、３０７ａ、３０７ｂ）を備え、
前記親機、前記増設親機には、前記パワーアンプとしてＤ級アンプを搭載することを特徴とするインターホン装置。
【請求項３】
前記玄関子機は、来訪者の映像を撮像するためのカメラ（１１ａ、１１ｂ）を備え、前記カメラにて撮像された前記来訪者の映像信号を前記親機或いは前記親機を介して前記増設親機へと伝送するためのＤ級アンプを搭載した映像変調回路（１０２ａ、１０２ｂ）を有し、親機および増設親機は、玄関子機のカメラにて撮像された映像を出画するためのモニタ（２３、３３ａ、３３ｂ）を備え、玄関子機の映像変調回路を介して変調された映像変調信号を映像信号へと復調するための映像復調回路（２０４、３０４ａ、３０４ｂ）を有することを特徴とする請求項１または請求項２記載のインターホン装置。
【請求項４】
前記Ｄ級アンプは、ＰＷＭおよびΣΔ変調方式のうち何れかの変調方式であることを特徴とする請求項１乃至請求項３のうち何れか１項記載のインターホン装置。
【発明の詳細な説明】
【技術分野】
【０００１】
本発明はインターホン装置に係り、特に、省電力化および通信伝達距離の延長化が図られたインターホン装置に関する。
【背景技術】
【０００２】
従来から、この種のインターホン装置として、図５のシステム構成図に示すインターホン装置が提案されている。
【０００３】
図５のシステム構成図に示すインターホン装置は、少なくとも１台、ここでは２台のカメラ付玄関子機５０１ａ、５０１ｂに、（個別の）２線ケーブルＬ501a、Ｌ501bによってモニタ付親機５０２或いはモニタ付親機５０２を介して２線ケーブルＬ502a、Ｌ502bによって少なくとも１台、ここでは２台のモニタ付増設親機５０３ａ、５０３ｂを接続している。また、（２台の）カメラ付玄関子機５０１ａ、５０１ｂは、住戸玄関の異なる場所に設置されそれぞれ同様な構成であり、呼出ボタン５１０ａ、５１０ｂ、カメラ５１１ａ、５１１ｂ、マイク（以下、子機マイクという。）５１２ａ、５１２ｂ、スピーカ（以下、子機スピーカという。）５１３ａ、５１３ｂを有している。また、モニタ付親機５０２は、住戸内に設置されており、スピーカ（以下、親機スピーカという。）５２０、マイク（以下、親機マイクという。）５２１、通話ボタン（以下、親機通話ボタンという。）５２２、モニタ（以下、親機モニタという。）５２３、一斉呼出ボタン５２４を有している。さらに、（２台の）モニタ付増設親機５０３ａ、５０３ｂは、住戸内においてモニタ付親機５０２が設置された場所とは異なる場所に設置されそれぞれ同様な構成であり、スピーカ（以下、増設親機スピーカという。）５３０ａ、５３０ｂ、マイク（以下、増設親機マイクという。）５３１ａ、５３１ｂ、通話ボタン（以下、増設親機通話ボタンという。）５３２ａ、５３２ｂ、モニタ（以下、増設親機モニタという。）５３３ａ、５３３ｂを有している。
【０００４】
従来例のインターホン装置において、住戸玄関に居る来訪者が住戸内に在室中の居住者を呼び出すために、図５のシステム構成図に示す（２台の）カメラ付玄関子機５０１ａ、５０１ｂのうち何れかの玄関子機にて呼出操作を行う、ここではカメラ付玄関子機５０１ａの呼出ボタン５１０ａを操作すると、カメラ付玄関子機５０１ａに２線ケーブルＬ501aによって接続されたモニタ付親機５０２の親機スピーカ５２０およびモニタ付親機５０２に２線ケーブルＬ502a、Ｌ502bによって接続（順次、渡り配線接続）された（２台の）モニタ付増設親機５０３ａ、５０３ｂの増設親機スピーカ５３０ａ、５３０ｂからそれぞれ呼出音が放音されるとともに、カメラ付玄関子機５０１ａのカメラ５１１ａにて撮像された来訪者の映像（住戸玄関および住戸玄関の周囲近傍の映像を含む）がモニタ付親機５０２の親機モニタ５２３および（２台の）モニタ付増設親機５０３ａ、５０３ｂの増設親機モニタ５３３ａ、５３３ｂにそれぞれ出画される。
【０００５】
また、上述の呼出音の放音および映像の出画を確認した居住者が来訪者との間で通話を成立させるために、図５のシステム構成図に示すモニタ付親機５０２および（２台の）モニタ付増設親機５０３ａ、５０３ｂのうち何れかの親機にて応答操作を行う、ここではモニタ付親機５０２の親機通話ボタン５２２を操作すると、居住者が用いるモニタ付親機５０２の親機スピーカ５２０および親機マイク５２１と２線ケーブルＬ501aを介して来訪者が用いるカメラ付玄関子機５０１ａの子機マイク５１２ａおよび子機スピーカ５１３ａとの間の通話ラインが形成され、形成された通話ラインを介して音声信号を送受信させることにより通話が成立し、特に、居住者にとっては、来訪者の映像を確認しながら通話を成立させることができる。
【０００６】
なお、従来例のインターホン装置については、記載すべき先行技術の文献情報はない。
【発明の開示】
【発明が解決しようとする課題】
【０００７】
しかしながら、従来例のインターホン装置において、図５のシステム構成図に示す（２台の）カメラ付玄関子機５０１ａ、５０１ｂ、モニタ付親機５０２、（２台の）モニタ付増設親機５０３ａ、５０３ｂには、それぞれが有する子機スピーカ５１３ａ、５１３ｂ、親機スピーカ５２０、増設親機スピーカ５３０ａ、５３０ｂを駆動させるためのパワーアンプ（図示せず）が必要とされ、これらのパワーアンプには１０〜１２Ｖの比較的高い電圧レベルで駆動するＢ級アンプを搭載していたため、電力変換効率が低く熱の発生による電力損失が大きくなり、当該カメラ付玄関子機、モニタ付親機、モニタ付増設親機の各機器にて設定される電源供給の電圧レベルを高いレベルで確保する必要があった。また、モニタ付親機５０２の一斉呼出ボタン５２４が居住者により操作され、（２台の）モニタ付増設親機５０３ａ、５０３ｂの増設親機スピーカ５３３ａ、５３３ｂから一斉に呼出音を放音させる場合や住戸内にて発生した火災等の非常通報としての警報音をモニタ付親機５０２の親機スピーカ５２３および（２台の）モニタ付増設親機５０３ａ、５０３ｂの増設親機スピーカ５３３ａ、５３３ｂから放音させる場合には、さらに電源供給の負担が大きくなる難点があった。
【０００８】
本発明は、上述の難点を解消するためになされたもので、少なくとも１台の玄関子機、親機、少なくとも１台の増設親機にそれぞれ備えられるパワーアンプとして電力変換効率が高く熱の発生による電力損失が小さいＤ級アンプを搭載して電源供給の負担を軽減することにより、省電力化および通信伝達距離の延長化が図られたインターホン装置を提供することを目的としている。
【課題を解決するための手段】
【０００９】
上述の目的を達成するため、本発明の第１の態様であるインターホン装置は、少なくとも１台の玄関子機に、２線ケーブルによって親機或いは親機を介して２線ケーブルによって少なくとも１台の増設親機を接続している。玄関子機は、来訪者の音声を居住者へと伝えるためのマイク、居住者からの音声を来訪者へと伝えるためのスピーカ、スピーカを駆動させるためのパワーアンプ、親機との間で各種信号の送受信を行うためのインターフェースを備えている。親機および増設親機は、居住者の音声を来訪者へと伝えるためのマイク、来訪者の音声を居住者へと伝えるためのスピーカ、スピーカを駆動させるためのパワーアンプ、居住者と来訪者との間の通話を切り換えるためのハウリング防止回路、玄関子機との間で各種信号の送受信を行うためのインターフェースを備えている。玄関子機、親機、増設親機には、パワーアンプとしてＤ級アンプを搭載している。
【００１０】
また、本発明の第２の態様であるインターホン装置は、少なくとも１台の玄関子機に、２線ケーブルによって親機或いは親機を介して２線ケーブルによって少なくとも１台の増設親機を接続している。玄関子機は、来訪者の音声を居住者へと伝えるためのマイク、居住者からの音声を来訪者へと伝えるためのスピーカ、親機との間で各種信号の送受信を行うためのインターフェースを備えている。親機および増設親機は、居住者の音声を来訪者へと伝えるためのマイク、来訪者の音声を居住者へと伝えるためのスピーカ、居住者の音声を玄関子機へと伝送するためのパワーアンプ、スピーカを駆動させるためのパワーアンプ、居住者と来訪者との間の通話を切り換えるためのハウリング防止回路、玄関子機との間で各種信号を送受信するためのインターフェースを備えている。親機、増設親機には、パワーアンプとしてＤ級アンプを搭載している。
【００１１】
また、本発明の第３の態様は本発明の第１または第２の態様のインターホン装置において、玄関子機は、来訪者の映像を撮像するためのカメラを備え、カメラにて撮像された来訪者の映像信号を親機或いは親機を介して増設親機へと伝送するためのＤ級アンプを搭載した映像変調回路を有し、親機および増設親機は、玄関子機のカメラにて撮像された映像を出画するためのモニタを備え、玄関子機の映像変調回路を介して変調された映像変調信号を映像信号へと復調するための映像復調回路を有している。
【００１２】
また、本発明の第４の態様は本発明の第１乃至第３の態様のうち何れかのインターホン装置において、Ｄ級アンプは、ＰＷＭおよびΣΔ変調方式のうち何れかの変調方式である。
【発明の効果】
【００１３】
本発明のインターホン装置によれば、少なくとも１台の玄関子機、親機、少なくとも１台の増設親機において、それぞれが有する子機スピーカ、親機スピーカ、増設親機スピーカを駆動させるためのパワーアンプとして、または子機マイク、親機マイク、増設親機マイクに入力された音声を伝送するためのパワーアンプとして、電力変換効率が高く熱の発生による電力損失が小さいＰＷＭおよびΣΔ変調方式のうち何れかの変調方式のＤ級アンプを搭載することにより、当該玄関子機、親機、増設親機の各機器にて設定される電源供給の電圧レベルを低いレベルで確保でき省電力化および通信伝達距離の延長化が図られる。
【００１４】
また、本発明のインターホン装置によれば、少なくとも１台の玄関子機にカメラとともに備えられる映像変調回路として、電力変換効率が高く熱の発生による電力損失が小さいＰＷＭおよびΣΔ変調方式のうち何れかの変調方式のＤ級アンプを搭載することもできる。
【発明を実施するための最良の形態】
【００１５】
以下、本発明のインターホン装置を適用した最良の実施の形態例について、図面を参照して説明する。
【００１６】
図１は、本発明の第１、第２の各実施例によるインターホン装置を示すシステム構成図である。
【００１７】
図１のシステム構成図に示すインターホン装置は、住戸玄関に居る来訪者が住戸内に在室中の居住者を呼び出して通話を成立させるための少なくとも１台の玄関子機、ここでは映像の撮像／信号処理機能を有する住戸玄関の異なる場所に設置された２台のカメラ付玄関子機１ａ、１ｂと、住戸内に設置され、２線ケーブル（以下、親機接続ケーブルという。）Ｌ1a、Ｌ1bによって個別に接続された２台のカメラ付玄関子機１ａ、１ｂのうち何れかの玄関子機からの呼び出しが映像の出画とともに報知され、これを確認した居住者が来訪者との間で通話を成立させるとともに、後述する２線ケーブル（以下、増設親機接続ケーブルという。）Ｌ2a、Ｌ2bによって接続（順次、渡り配線接続）された少なくとも１台のモニタ付増設親機へと一斉呼び出しを行うための親機、ここでは映像の信号処理／出画機能を有するモニタ付親機２と、上述の２台のカメラ付玄関子機１ａ、１ｂのうち何れかの玄関子機からの呼び出しが映像の出画とともに報知され、これを確認した居住者が来訪者との間で通話を成立させるとともに、増設親機接続ケーブルＬ2a、Ｌ2bによって接続されたモニタ付親機２からの一斉呼び出しが報知されるモニタ付親機２の設置場所とは異なる住戸内の場所に設置された少なくとも１台の増設親機、ここでは映像の信号処理／出画機能を有する２台のモニタ付増設親機３ａ、３ｂとで構成されている。なお、２台のモニタ付増設親機３ａ、３ｂとは、図示のように、モニタ付親機２に増設親機接続ケーブルＬ2aによって接続されたモニタ付増設親機３ａおよびモニタ付増設親機３ａに増設親機接続ケーブルＬ2bによって接続されたモニタ付増設親機３ｂである。
【００１８】
図１のシステム構成図において、（２台の）カメラ付玄関子機１ａ、１ｂはそれぞれ同様な構成であり、住戸玄関に居る来訪者が住戸内に在室中の居住者を呼び出すために操作する呼出ボタン１０ａ、１０ｂと、呼出操作を行った来訪者の映像（住戸玄関および住戸玄関の周囲近傍の映像を含む）を撮像するためのカメラ１１ａ、１１ｂと、来訪者の音声を居住者へと伝えるためのマイク（以下、子機マイクという。）１２ａ、１２ｂと、居住者の音声を来訪者へと伝えるためのスピーカ（以下、子機スピーカという。）１３ａ、１３ｂとを有している。
【００１９】
また、図１のシステム構成図において、モニタ付親機２は、親機接続ケーブルＬ1a、Ｌ1bによって個別に接続された（２台の）カメラ付玄関子機１ａ、１ｂのうち来訪者により上述の呼出操作が行われた何れかの玄関子機からの呼び出しがある旨の呼出音を放音するとともに、来訪者の音声を居住者へと伝えるためのスピーカ（以下、親機スピーカという。）２０と、居住者の音声を来訪者へと伝えるためのマイク（以下、親機マイクという。）２１と、親機スピーカ２０および親機マイク２１を用いた通話を成立させるために居住者が操作（応答操作と同意）する通話ボタン２２（以下、親機通話ボタンという。）と、（２台の）カメラ付玄関子機１ａ、１ｂのうち来訪者により上述の呼出操作が行われた何れかの玄関子機のカメラにて撮像された来訪者の映像（住戸玄関および住戸玄関の周囲近傍の映像を含む）を出画するためのＬＣＤ（Liquid Crystal Display）、有機ＥＬ（Electro Luminescence）等のモニタ（以下、親機モニタという。）２３と、（２台の）モニタ付増設親機３ａ、３ｂを一斉に呼び出すために居住者が操作する一斉呼出ボタン２４とを有している。
【００２０】
さらに、図１のシステム構成図において、（２台の）モニタ付増設親機３ａ、３ｂはそれぞれ同様な構成であり、増設親機接続ケーブルＬ2a、Ｌ2b、モニタ付親機２を介して親機接続ケーブルＬ1a、Ｌ1bによって個別に接続された（２台の）カメラ付玄関子機１ａ、１ｂのうち来訪者により上述の呼出操作が行われた何れかの玄関子機からの呼び出しがある旨の呼出音、または居住者によりモニタ付親機２の一斉呼出ボタン２４が操作された一斉呼び出しがある旨の呼出音を放音するとともに、来訪者の音声を居住者へと伝えるためのスピーカ（以下、増設親機スピーカという。）３０ａ、３０ｂと、居住者の音声を来訪者へと伝えるためのマイク（以下、増設親機マイクという。）３１ａ、３１ｂと、増設親機スピーカ３０ａ、３０ｂおよび増設親機マイク３１ａ、３１ｂを用いた通話を成立させるために居住者が操作（応答操作と同意）する通話ボタン（以下、増設親機通話ボタンという。）３２ａ、３２ｂと、（２台の）カメラ付玄関子機１ａ、１ｂのうち来訪者により上述の呼出操作が行われた何れかの玄関子機のカメラにて撮像された映像（住戸玄関および住戸玄関の周囲近傍の映像を含む）を出画するためのＬＣＤ、有機ＥＬ等のモニタ（以下、増設親機モニタという。）３３ａ、３３ｂとを有している。
【００２１】
図２（ａ）は、本発明の第１の実施例によるインターホン装置において、（２台の）カメラ付玄関子機１ａ、１ｂの構成を示すブロック図である。
【００２２】
図２（ａ）のブロック図において、（２台の）カメラ付玄関子機１ａ、１ｂはそれぞれ同様な構成であり、上述の呼出ボタン１０ａ、１０ｂ、カメラ１１ａ、１１ｂ、子機マイク１２ａ、１２ｂ、子機スピーカ１３ａ、１３ｂと、当該玄関子機の構成各部を制御するための制御回路（以下、子機制御回路という。）１００ａ、１００ｂと、当該玄関子機の構成各部へと動作電源を供給するための電源回路（以下、子機電源回路という。）１０１ａ、１０１ｂと、カメラ１１ａ、１１ｂにて撮像された来訪者の映像（住戸玄関および住戸玄関の周囲近傍の映像を含む）の映像信号を映像変調信号へと変調、例えば、ＦＭ変調するための映像変調回路１０２ａ、１０２ｂと、子機スピーカ１３ａ、１３ｂを駆動させるためのパワーアンプ（以下、子機スピーカ用パワーアンプという。）１０３ａ、１０３ｂと、子機マイク１２ａ、１２ｂ、子機制御回路１００ａ、１００ｂ、子機電源回路１０１ａ、１０１ｂ、映像変調回路１０２ａ、１０２ｂ、子機スピーカ用パワーアンプ１０３ａ、１０３ｂの構成各部および親機接続ケーブルＬ1a、Ｌ1bの間の信号伝送路／電源供給路をそれぞれ形成して各種信号、直流電源の送受信を行うためのインターフェース（以下、子機Ｉ／Ｆという。）１０４ａ、１０４ｂとが備えられている。
【００２３】
また、図２（ｂ）は、本発明の第１の実施例によるインターホン装置において、モニタ付親機２の構成を示すブロック図である。
【００２４】
図２（ｂ）のブロック図において、モニタ付親機２には、上述の親機スピーカ２０、親機マイク２１、親機通話ボタン２２、親機モニタ２３、一斉呼出ボタン２４と、当該親機の構成各部を制御するための制御回路（以下、親機制御回路という。）２００と、商用電源（ＡＣ１００Ｖ）について整流／平滑させた直流電源を動作電源として、当該親機の構成各部および図１のシステム構成図に示す（２台の）カメラ付玄関子機１ａ、１ｂのうち来訪者により上述の呼出操作が行われた何れかの玄関子機へと供給するための電源回路（以下、親機電源回路という。）２０１と、親機スピーカ２０を駆動させるためのパワーアンプ（以下、親機スピーカ用パワーアンプという。）２０２と、上述の応答操作を行った居住者および来訪者の間で成立される通話の通話ラインを切り換え、親機スピーカ２０から親機マイク２１への音声信号の帰還によるハウリングの発生を防止するためのハウリング防止回路（以下、親機ハウリング防止回路という。）２０３と、来訪者により上述の呼出操作が行われた何れかの玄関子機のカメラにて撮像された来訪者の映像（住戸玄関および住戸玄関の周囲近傍の映像を含む）であり映像変調回路を介して変調（ＦＭ変調）された映像変調信号を映像信号へと復調、例えば、ＦＭ復調して親機モニタ２３に出力するための映像復調回路（以下、親機映像復調回路という。）２０４と、親機制御回路２００、親機電源回路２０１、親機ハウリング防止回路２０３、親機映像復調回路２０４の構成各部および親機接続ケーブルＬ1a、Ｌ1bの間、増設親機ケーブルＬ2aの間の信号伝送路／電源供給路をそれぞれ形成して各種信号、直流電源の送受信を行うためのインターフェース（以下、親機Ｉ／Ｆという。）２０５とが備えられている。
【００２５】
さらに、図２（ｃ）は、本発明の第１の実施例によるインターホン装置において、（２台の）モニタ付増設親機３ａ、３ｂの構成を示すブロック図である。
【００２６】
図２（ｃ）のブロック図において、（２台の）モニタ付増設親機３ａ、３ｂはそれぞれ同様な構成であり、上述の増設親機スピーカ３０ａ、３０ｂ、増設親機マイク３１ａ、３１ｂ、増設親機通話ボタン３２ａ、３２ｂ、増設親機モニタ３３ａ、３３ｂと、当該増設親機の構成各部を制御するための制御回路（以下、増設親機制御回路という。）３００ａ、３００ｂと、商用電源（ＡＣ１００Ｖ）について整流／平滑させた直流電源を動作電源として、当該増設親機の構成各部および図１のシステム構成図に示す（２台の）カメラ付玄関子機１ａ、１ｂのうち来訪者により上述の呼出操作が行われた何れかの玄関子機へと供給するための電源回路（以下、増設親機電源回路という。）３０１ａ、３０１ｂと、増設親機スピーカ３０ａ、３０ｂを駆動させるためのパワーアンプ（以下、増設親機スピーカ用パワーアンプという。）３０２ａ、３０２ｂと、上述の応答操作を行った居住者および来訪者の間で成立される通話の通話ラインを切り換え、増設親機スピーカ３０ａ、３０ｂから増設親機マイク３１ａ、３１ｂへの音声信号の帰還によるハウリングの発生を防止するためのハウリング防止回路（以下、増設親機ハウリング防止回路という。）３０３ａ、３０３ｂと、来訪者により上述の呼出操作が行われた何れかの玄関子機のカメラにて撮像された来訪者の映像（住戸玄関および住戸玄関の周囲近傍の映像を含む）であり映像変調回路を介して変調（ＦＭ変調）された映像変調信号を映像信号へと復調、例えば、ＦＭ復調して増設親機モニタ３３ａ、３３ｂに出力するための映像復調回路（以下、増設親機映像復調回路という。）３０４ａ、３０４ｂと、増設親機制御回路３００ａ、３００ｂ、増設親機電源回路３０１ａ、３０１ｂ、増設親機ハウリング防止回路３０３ａ、３０３ｂ、増設親機映像復調回路３０４ａ、３０４ｂの構成各部および増設親機接続ケーブルＬ2a、Ｌ2bの間の信号伝送路／電源供給路をそれぞれ形成して各種信号、直流電源の送受信を行うためのインターフェース（以下、増設親機Ｉ／Ｆという。）３０５ａ、３０５ｂとが備えられている。
【００２７】
なお、図２（ａ）、（ｂ）、（ｃ）の各ブロック図において、（２台の）カメラ付玄関子機１ａ、１ｂの子機スピーカ用パワーアンプ１０３ａ、１０３ｂ、モニタ付親機２の親機スピーカ用パワーアンプ２０２、（２台の）モニタ付増設親機３ａ、３ｂの増設親機スピーカ用パワーアンプ３０２ａ、３０２ｂは、それぞれ図４の回路ブロック図に示す構成のＤ級アンプ４００を搭載している。
【００２８】
図４の回路ブロック図において、Ｄ級アンプ４００は、当該Ｄ級アンプへと入力された来訪者または居住者の音声信号をＰＷＭ（パルス幅変調）およびΣΔ変調（１ｂｉｔ量子化変調）方式のうち何れかの変調方式を用いて変調するための変調部４１０と、変調部４１０によって変調されたデジタル信号形式のパルス信号の電圧レベルの相違、すなわちＨ（Ｈigh）／Ｌ（Low）に対応してＯＮ／ＯＦＦが交互に切り換わるパワーＭＯＳＦＥＴ等の電力スイッチ４１１ａ、４１１ｂと、電力スイッチ４１１ａ、４１１ｂのＯＮ／ＯＦＦのタイミングで発生するスイッチングの周波数に上述の音声信号が重畳されることを防止するため、スイッチングの高周波成分を除去させ、復調したアナログ信号形式の音声信号を出力する高周波除去回路４１２とが備えられており、このＤ級アンプ４００は、従来例にて適用させたＢ級アンプと比較して、電力変換効率が高く熱の発生による電力損失が小さい性質を有する。
【００２９】
このように構成された本発明の第１の実施例によるインターホン装置、すなわち、図１のシステム構成図および図２（ａ）、（ｂ）、（ｃ）の各ブロック図に示す（２台の）カメラ付玄関子機１ａ、１ｂ、モニタ付親機２、（２台の）モニタ付増設親機３ａ、３ｂとで構成されるインターホン装置において、以下、具体的な動作について説明する。
【００３０】
住戸玄関に居る来訪者が住戸内に在室中の居住者を呼び出すために、図１のシステム構成図に示す（２台の）カメラ付玄関子機１ａ、１ｂのうち何れかの玄関子機にて呼出操作を行う、ここではカメラ付玄関子機１ａの呼出ボタン１０ａを操作すると、図２（ａ）のブロック図に示すカメラ付玄関子機１ａの子機制御回路１００ａが上述の呼出操作を検出し、その旨の呼出情報を付加させた呼出信号Ｓ1を子機Ｉ／Ｆ１０４ａへと出力する。この呼出信号Ｓ1は、子機Ｉ／Ｆ１０４ａから親機接続ケーブルＬ1a、図２（ｂ）のブロック図に示すモニタ付親機２の親機Ｉ／Ｆ２０５を介して親機制御回路２００と、子機Ｉ／Ｆ１０４ａから親機接続ケーブルＬ1a、図２（ｂ）のブロック図に示すモニタ付親機２の親機Ｉ／Ｆ２０５、増設親機接続ケーブルＬ2a、図２（ｃ）のブロック図に示すモニタ付増設親機３ａの増設親機Ｉ／Ｆ３０５ａを介して増設親機制御回路３００ａおよび上述の増設親機Ｉ／Ｆ３０５ａから増設親機接続ケーブルＬ2b、モニタ付増設親機３ｂの増設親機Ｉ／Ｆ３０５ｂを介して増設親機制御回路３００ｂとにそれぞれ伝送される。
【００３１】
図２（ｂ）のブロック図において、モニタ付親機２の親機制御回路２００は、入力された呼出信号Ｓ1に基づいてカメラ付玄関子機１ａからの呼び出しがあることを検出し、その旨を居住者に報知するための呼出音を親機スピーカ２０から放音させるとともに、親機モニタ２３、親機映像復調回路２０４をそれぞれ駆動制御し、併せて親機電源回路２０１を制御して当該親機電源回路からの動作電源を、親機Ｉ／Ｆ２０５、親機接続ケーブルＬ1a、図２（ａ）のブロック図に示すカメラ付玄関子機１ａの子機Ｉ／Ｆ１０４ａを介して子機電源回路１０１ａへと呼出（呼出・通話）状態の動作電源として供給することにより、子機電源回路１０１ａからの電源供給が動作電源となり子機制御回路１００ａによって駆動制御されたカメラ１１ａにて呼出操作を行った来訪者の映像（住戸玄関および住戸玄関の周囲近傍の映像を含む）の撮像が開始される。
【００３２】
図２（ｃ）のブロック図において、（２台の）モニタ付増設親機３ａ、３ｂの増設親機制御回路３００ａ、３００ｂは、それぞれ入力された呼出信号Ｓ1に基づいてカメラ付玄関子機１ａからの呼び出しがあることを検出し、その旨を居住者に報知するための呼出音を増設親機スピーカ３０ａ、３０ｂから放音させるとともに、増設親機モニタ３３ａ、３３ｂ、増設親機映像復調回路３０４ａ、３０４ｂをそれぞれ駆動制御する。
【００３３】
また、図２（ａ）のブロック図において、カメラ付玄関子機１ａのカメラ１１ａにて撮像された来訪者の映像（住戸玄関および住戸玄関の周囲近傍の映像を含む）の映像信号Ｓ2は、映像変調回路１０２ａによって変調（ＦＭ変調）された映像変調信号Ｓ2aとして、子機Ｉ／Ｆ１０４ａから親機接続ケーブルＬ1a、図２（ｂ）のブロック図に示すモニタ付親機２の親機Ｉ／Ｆ２０５を介して親機映像復調回路２０４と、子機Ｉ／Ｆ１０４ａから親機接続ケーブルＬ1a、図２（ｂ）のブロック図に示すモニタ付親機２の親機Ｉ／Ｆ２０５、増設親機接続ケーブルＬ2a、図２（ｃ）のブロック図に示すモニタ付増設親機３ａの増設親機Ｉ／Ｆ３０５ａを介して増設親機映像復調回路３０４ａおよび上述の増設親機Ｉ／Ｆ３０５ａから増設親機接続ケーブルＬ2b、モニタ付増設親機３ｂの増設親機Ｉ／Ｆ３０５ｂを介して増設親機映像復調回路３０４ｂとにそれぞれ伝送される。
【００３４】
また、図２（ｂ）のブロック図において、モニタ付親機２の親機映像復調回路２０４は、入力された映像変調信号Ｓ2aを映像信号Ｓ2へと復調（ＦＭ復調）して親機モニタ２３に出力することにより、カメラ付玄関子機１ａにて呼出操作を行った来訪者の映像（住戸玄関および住戸玄関の周囲近傍の映像を含む）を親機モニタ２３に出画させることができる。
【００３５】
さらに、図２（ｃ）のブロック図において、（２台の）モニタ付増設親機３ａ、３ｂの親機映像復調回路３０４ａ、３０４ｂは、それぞれ入力された映像変調信号Ｓ2aを映像信号Ｓ2へと復調（ＦＭ復調）して増設親機モニタ３３ａ、３３ｂに出力することにより、カメラ付玄関子機１ａにて呼出操作を行った来訪者の映像（住戸玄関および住戸玄関の周囲近傍の映像を含む）を増設親機モニタ３３ａ、３３ｂに出画させることができる。
【００３６】
次に、図１のシステム構成図および図２（ｂ）のブロック図に示すモニタ付親機２の親機スピーカ２０からの呼出音の放音、親機モニタ２３に出画された映像、図１のシステム構成図および図２（ｃ）のブロック図に示す（２台の）モニタ付増設親機３ａ、３ｂの増設親機スピーカ３０ａ、３０ｂからの呼出音の放音、増設親機モニタ３３ａ、３３ｂに出画された映像のうち何れかの親機（増設親機）にて行われた上述の呼出報知を確認した居住者、ここではモニタ付親機２にて行われた上述の呼出報知を確認した居住者が応答操作として親機通話ボタン２２を操作すると、この応答操作を検出した図２（ｂ）のブロック図に示す親機制御回路２００によって親機スピーカ用パワーアンプ２０２、親機ハウリング防止回路２０３がそれぞれ駆動制御されるとともに、その旨の応答情報を付加させた応答信号Ｓ3が親機Ｉ／Ｆ２０５へと出力される。この応答信号Ｓ3は、親機Ｉ／Ｆ２０５から親機接続ケーブルＬ1a、図２（ａ）のブロック図に示すカメラ付玄関子機１ａの子機Ｉ／Ｆ１０４ａを介して子機制御回路１００ａに伝送される。
【００３７】
図２（ａ）のブロック図において、カメラ付玄関子機１ａの子機制御回路１００ａは、入力された応答信号Ｓ3に基づいて居住者によりモニタ付親機２にて応答操作が行われたことを検出し、子機スピーカ用パワーアンプ１０３ａを駆動制御することにより、来訪者が用いるカメラ付玄関子機１ａの子機マイク１２ａおよび子機スピーカ１３ａと、子機スピーカ用パワーアンプ１０３ａ、子機Ｉ／Ｆ１０４ａ、親機接続ケーブルＬ1a、図２（ｂ）のブロック図に示すモニタ付親機２の親機Ｉ／Ｆ２０５、親機ハウリング防止回路２０３、親機スピーカ用パワーアンプ２０２を介して居住者が用いる親機スピーカ２０および親機マイク２１との間の通話ラインが形成される。
【００３８】
なお、上述の通話ラインが形成された通話状態において、図２（ａ）のブロック図に示すカメラ付玄関子機１ａの子機制御回路１００ａおよび図２（ｂ）のブロック図に示すモニタ付親機２の親機制御回路２００は、カメラ１１ａ、映像変調回路１０２ａへの駆動制御および親機モニタ２３、親機映像復調回路２０４への駆動制御をそれぞれ保持することにより、この通話が終了するまでの間、カメラ１１ａにて撮像された来訪者の映像（住戸玄関および住戸玄関の周囲近傍の映像を含む）を親機モニタ２３に出画させることができる。一方、図４（ａ）のブロック図に示す（２台の）モニタ付増設親機３ａ、３ｂの増設親機制御回路３００ａ、３００ｂは、呼出信号Ｓ1を検出してからの所定の時間の経過後において増設親機モニタ３３ａ、３３ｂ、増設親機映像復調回路３０４ａ、３０４ｂへの駆動制御をそれぞれ停止することにより、上述の通話ラインが形成された通話状態において、カメラ付玄関子機１ａのカメラ１１ａにて撮像された来訪者の映像（住戸玄関および住戸玄関の周囲近傍の映像を含む）が増設親機モニタ３３ａ、３３ｂに出画されることはない。
【００３９】
次に、上述の通話ラインが形成された通話状態において、図２（ｂ）のブロック図に示すモニタ付親機２の親機マイク２１へと入力された居住者の音声信号Ｓ10は、親機ハウリング防止回路２０３、親機Ｉ／Ｆ２０５、親機接続ケーブルＬ1a、図２（ａ）のブロック図に示すカメラ付玄関子機１ａの子機Ｉ／Ｆ１０４ａを介して子機スピーカ用パワーアンプ１０３ａに搭載された図４の回路ブロック図に示すＤ級アンプ４００の変調部４１０へと伝送される。
【００４０】
図４の回路ブロック図において、図２（ａ）のブロック図に示すカメラ付玄関子機１ａの子機スピーカ用パワーアンプ１０３ａに搭載されたＤ級アンプ４００の変調部４１０は、入力された音声信号Ｓ10についてＰＷＭおよびΣΔ変調方式のうち何れかの変調方式を用いて変調させたデジタル信号形式のパルス信号Ｓ10aを出力する。また、電力スイッチ４１１ａ、４１１ｂは、パルス信号Ｓ10aのＨ／ＬのタイミングでＯＮ／ＯＦＦが交互に切り換わり、子機電源回路１０１ａから子機スピーカ１３ａへの電源供給時間をパルス幅に基づいて制御する。さらに、高周波除去回路４１２は、電力スイッチ４１１ａ、４１１ｂのスイッチングにより発生する高周波成分が上述の音声信号Ｓ10に重畳されることを防止するため、この高周波成分を除去して復調させたアナログ信号形式の音声信号Ｓ10bを生成し、子機スピーカ１３ａへと出力することにより、モニタ付親機２にて応答操作を行った居住者の音声が受話音として子機スピーカ１３ａから放音される。
【００４１】
一方、上述の通話ラインが形成された通話状態において、図２（ａ）のブロック図に示すカメラ付玄関子機１ａの子機マイク１２ａへと入力された来訪者の音声信号Ｓ20は、子機Ｉ／Ｆ１０４ａから親機接続ケーブルＬ1a、図２（ｂ）のブロック図に示すモニタ付親機２の親機Ｉ／Ｆ２０５、親機ハウリング防止回路２０３を介して親機スピーカ用パワーアンプ２０２に搭載された図４の回路ブロック図に示すＤ級アンプ４００の変調部４１０へと伝送される。
【００４２】
図４の回路ブロック図において、図２（ｂ）のブロック図に示すモニタ付親機２の親機スピーカ用パワーアンプ２０２に搭載されたＤ級アンプ４００の変調部４１０は、入力された音声信号Ｓ20についてＰＷＭおよびΣΔ変調方式のうち何れかの変調方式を用いて変調させたデジタル信号形式のパルス信号Ｓ20aを出力する。また、電力スイッチ４１１ａ、４１１ｂは、パルス信号Ｓ20aのＨ／ＬのタイミングでＯＮ／ＯＦＦが交互に切り換わり、親機電源回路２０１から親機スピーカ２０への電源供給時間をパルス幅に基づいて制御する。さらに、高周波除去回路４１２は、電力スイッチ４１１ａ、４１１ｂのスイッチングにより発生する高周波成分が上述の音声信号Ｓ20に重畳されることを防止するため、この高周波成分を除去して復調させたアナログ信号形式の音声信号Ｓ20bを生成し、親機スピーカ２０へと出力することにより、カメラ付玄関子機１ａにて呼出操作を行った来訪者の音声が受話音として親機スピーカ２０から放音され、特に、居住者にとっては、来訪者の映像を確認しながら通話を成立させることができる。
【００４３】
なお、図２（ｂ）のブロック図において、モニタ付親機２の親機ハウリング防止回路２０３は、親機マイク２１からの音声信号Ｓ10を親機Ｉ／Ｆ２０５へと伝送させる場合には、親機Ｉ／Ｆ２０５から親機スピーカ用パワーアンプ２０２への信号伝送路を遮断することにより、親機スピーカ２０から放音された来訪者の音声の親機マイク２１への帰還、すなわち、ハウリングの発生が防止され良好な通話音質を確保できる。
【００４４】
上述のように、本発明の第１の実施例によるインターホン装置によれば、図２（ａ）、（ｂ）、（ｃ）の各ブロック図に示す（２台の）カメラ付玄関子機１ａ、１ｂの子機スピーカ用パワーアンプ１０３ａ、１０３ｂ、モニタ付親機２の親機スピーカ用パワーアンプ２０２、（２台の）モニタ付増設親機３ａ、３ｂの増設親機スピーカ用パワーアンプ３０２ａ、３０２ｂとして、電力変換効率が高く熱の発生による電力損失が小さい図４の回路ブロック図に示す構成のＤ級アンプ４００を搭載させることにより、当該カメラ付玄関子機、モニタ付親機、モニタ付増設親機の各機器にて設定される電源供給の電圧レベルを低いレベルで確保でき省電力化および通信伝達距離の延長化が図られる。
【００４５】
また、上述の第１の実施例の効果と同様な効果を奏する他の実施例について、以下、本発明の第２の実施例によるインターホン装置として説明する。
【００４６】
さらに、本発明の第２の実施例によるインターホン装置において、上述の第１の実施例のインターホン装置と同様の構成部については同一の符号を付与して具体的な説明は省略する。
【００４７】
図３（ａ）は、本発明の第２の実施例によるインターホン装置において、（２台の）カメラ付玄関子機１ａ、１ｂの構成を示すブロック図である。
【００４８】
図３（ａ）のブロック図において、（２台の）カメラ付玄関子機１ａ、１ｂはそれぞれ同様な構成であり、上述の呼出ボタン１０ａ、１０ｂ、カメラ１１ａ、１１ｂ、子機マイク１２ａ、１２ｂ、子機スピーカ１３ａ、１３ｂ、子機制御回路１００ａ、１００ｂ、子機電源回路１０１ａ、１０１ｂ、映像変調回路１０２ａ、１０２ｂと、子機マイク１２ａ、１２ｂ、子機スピーカ１３ａ、１３ｂ、子機制御回路１００ａ、１００ｂ、子機電源回路１０１ａ、１０１ｂ、映像変調回路１０２ａ、１０２ｂの構成各部および親機接続ケーブルＬ1a、Ｌ1bの間の信号伝送路／電源供給路をそれぞれ形成して各種信号、直流電源の送受信を行うための子機Ｉ／Ｆ１０５ａ、１０５ｂとが備えられている。
【００４９】
また、図３（ｂ）は、本発明の第２の実施例によるインターホン装置において、モニタ付親機２の構成を示すブロック図である。
【００５０】
図３（ｂ）のブロック図において、モニタ付親機２には、上述の親機スピーカ２０、親機マイク２１、親機通話ボタン２２、親機モニタ２３、一斉呼出ボタン２４、親機制御回路２００、親機電源回路２０１、親機スピーカ用パワーアンプ２０２、親機ハウリング防止回路２０３、親機映像復調回路２０４と、親機マイク２１へと入力された居住者の音声を増幅して来訪者により上述の呼出操作が行われた何れかの玄関子機に伝送するためのパワーアンプ（以下、親機マイク用パワーアンプという。）２０６と、親機制御回路２００、親機電源回路２０１、親機ハウリング防止回路２０３、親機映像復調回路２０４、親機マイク用パワーアンプ２０６の構成各部および親機接続ケーブルＬ1a、Ｌ1bの間、増設親機ケーブルＬ2aの間の信号伝送路／電源供給路をそれぞれ形成して各種信号、直流電源の送受信を行うための親機Ｉ／Ｆ２０７とが備えられている。
【００５１】
さらに、図３（ｃ）は、本発明の第２の実施例によるインターホン装置において、（２台の）モニタ付増設親機３ａ、３ｂの構成を示すブロック図である。
【００５２】
図３（ｃ）のブロック図において、（２台の）モニタ付増設親機３ａ、３ｂはそれぞれ同様な構成であり、上述の増設親機スピーカ３０ａ、３０ｂ、増設親機マイク３１ａ、３１ｂ、増設親機通話ボタン３２ａ、３２ｂ、増設親機モニタ３３ａ、３３ｂ、増設親機制御回路３００ａ、３００ｂ、増設親機電源回路３０１ａ、３０１ｂ、増設親機スピーカ用パワーアンプ３０２ａ、３０２ｂ、増設親機ハウリング防止回路３０３ａ、３０３ｂ、増設親機映像復調回路３０４ａ、３０４ｂと、増設親機マイク３１ａ、３１ｂへと入力された居住者の音声を増幅して来訪者により上述の呼出操作が行われた何れかの玄関子機に伝送するためのパワーアンプ（以下、増設親機マイク用パワーアンプという。）３０６ａ、３０６ｂと、増設親機制御回路３００ａ、３００ｂ、増設親機電源回路３０１ａ、３０１ｂ、増設親機ハウリング防止回路３０３ａ、３０３ｂ、増設親機映像復調回路３０４ａ、３０４ｂ、増設親機マイク用パワーアンプ３０６ａ、３０６ｂの構成各部および増設親機接続ケーブルＬ2a、Ｌ2bの間の信号伝送路／電源供給路をそれぞれ形成して各種信号、直流電源の送受信を行うための増設親機Ｉ／Ｆ３０７ａ、３０７ｂとが備えられている。
【００５３】
なお、図３（ｂ）、（ｃ）の各ブロック図において、モニタ付親機２の親機スピーカ用パワーアンプ２０２および親機マイク用パワーアンプ２０６、（２台の）モニタ付増設親機３ａ、３ｂの増設親機スピーカ用パワーアンプ３０２ａ、３０２ｂおよび増設親機マイク用パワーアンプ３０６ａ、３０６ｂは、それぞれ図４の回路ブロック図に示す構成のＤ級アンプ４００を搭載している。
【００５４】
このように構成された本発明の第２の実施例によるインターホン装置、すなわち、図１のシステム構成図および図３（ａ）、（ｂ）、（ｃ）の各ブロック図に示す（２台の）カメラ付玄関子機１ａ、１ｂ、モニタ付親機２、（２台の）モニタ付増設親機３ａ、３ｂとで構成されるインターホン装置において、以下、具体的な動作について説明する。
【００５５】
なお、本発明の第２の実施例によるインターホン装置において、住戸玄関に居る来訪者が住戸内に在室中の居住者を呼び出すために、図１のシステム構成図に示す（２台の）カメラ付玄関子機１ａ、１ｂのうちカメラ付玄関子機１ａの呼出ボタン１０ａを操作し、モニタ付親機２の親機スピーカ２０から呼出音を放音させるとともに親機モニタ２３に来訪者の映像（住戸玄関および住戸玄関の周囲近傍の映像を含む）を出画させ、また、（２台の）モニタ付増設親機３ａ、３ｂの増設親機スピーカ３０ａ、３０ｂから呼出音を放音させるとともに増設親機モニタ３３ａ、３３ｂに来訪者の映像（住戸玄関および住戸玄関の周囲近傍の映像を含む）を出画させるまでの動作は、上述の第１の実施例と同様であることから説明は省略する。
【００５６】
次に、図１のシステム構成図および図３（ｂ）のブロック図に示すモニタ付親機２の親機スピーカ２０からの呼出音の放音、親機モニタ２３に出画された映像、図１のシステム構成図および図３（ｃ）のブロック図に示す（２台の）モニタ付増設親機３ａ、３ｂの増設親機スピーカ３０ａ、３０ｂからの呼出音の放音、増設親機モニタ３３ａ、３３ｂに出画された映像のうち何れかの親機（増設親機）にて行われた上述の呼出報知を確認した居住者、ここではモニタ付親機２にて行われた上述の呼出報知を確認した居住者が応答操作として親機通話ボタン２２を操作すると、この応答操作を検出した図３（ｂ）のブロック図に示す親機制御回路２００によって親機スピーカ用パワーアンプ２０２、親機ハウリング防止回路２０３、親機マイク用パワーアンプ２０６がそれぞれ駆動制御されるとともに、その旨の応答情報を付加させた応答信号Ｓ4が親機Ｉ／Ｆ２０７へと出力される。この応答信号Ｓ4は、親機Ｉ／Ｆ２０７から親機接続ケーブルＬ1a、図３（ａ）のブロック図に示すカメラ付玄関子機１ａの子機Ｉ／Ｆ１０５ａを介して子機制御回路１００ａに伝送される。
【００５７】
図３（ａ）のブロック図において、カメラ付玄関子機１ａの子機制御回路１００ａは、入力された応答信号Ｓ4に基づいて居住者によりモニタ付親機２にて応答操作が行われたことを検出する。このとき、来訪者が用いるカメラ付玄関子機１ａの子機マイク１２ａおよび子機スピーカ１３ａと、子機Ｉ／Ｆ１０５ａ、親機接続ケーブルＬ1a、図３（ｂ）のブロック図に示すモニタ付親機２の親機Ｉ／Ｆ２０７、親機マイク用パワーアンプ２０６、親機ハウリング防止回路２０３、親機スピーカ用パワーアンプ２０２を介して居住者が用いる親機スピーカ２０および親機マイク２１との間の通話ラインが形成される。
【００５８】
なお、上述の通話ラインが形成された通話状態において、図３（ａ）のブロック図に示すカメラ付玄関子機１ａの子機制御回路１００ａおよび図３（ｂ）のブロック図に示すモニタ付親機２の親機制御回路２００は、カメラ１１ａ、映像変調回路１０２ａへの駆動制御および親機モニタ２３、親機映像復調回路２０４への駆動制御をそれぞれ保持することにより、この通話が終了するまでの間、カメラ１１ａにて撮像された来訪者の映像（住戸玄関および住戸玄関の周囲近傍の映像を含む）を親機モニタ２３に出画させることができる。一方、図３（ｃ）のブロック図に示す（２台の）モニタ付増設親機３ａ、３ｂの増設親機制御回路３００ａ、３００ｂは、呼出信号Ｓ1を検出してからの所定の時間の経過後において増設親機モニタ３３ａ、３３ｂ、増設親機映像復調回路３０４ａ、３０４ｂへの駆動制御をそれぞれ停止することにより、上述の通話ラインが形成された通話状態において、カメラ付玄関子機１ａのカメラ１１ａにて撮像された来訪者の映像（住戸玄関および住戸玄関の周囲近傍の映像を含む）が増設親機モニタ３３ａ、３３ｂに出画されることはない。
【００５９】
次に、上述の通話ラインが形成された通話状態において、図３（ｂ）のブロック図に示すモニタ付親機２の親機マイク２１へと入力された居住者の音声信号Ｓ30は、親機ハウリング防止回路２０３を介して親機マイク用パワーアンプ２０６に搭載された図４の回路ブロック図に示すＤ級アンプ４００の変調部４１０へと伝送される。
【００６０】
図４の回路ブロック図において、図３（ｂ）のブロック図に示すモニタ付親機２の親機マイク用パワーアンプ２０６に搭載されたＤ級アンプ４００の変調部４１０は、入力された音声信号Ｓ30についてＰＷＭおよびΣΔ変調方式のうち何れかの変調方式を用いて変調させたデジタル信号形式のパルス信号Ｓ30aを出力する。また、電力スイッチ４１１ａ、４１１ｂは、パルス信号Ｓ30aのＨ／ＬのタイミングでＯＮ／ＯＦＦが交互に切り換わり、高周波除去回路４１２は、電力スイッチ４１１ａ、４１１ｂのスイッチングにより発生する高周波成分が上述の音声信号Ｓ30に重畳されることを防止するため、この高周波成分を除去して復調させたアナログ信号形式の音声信号Ｓ30bを生成する。この音声信号Ｓ30bは、親機Ｉ／Ｆ２０７から親機接続ケーブルＬ1a、図３（ａ）のブロック図に示すカメラ付玄関子機１ａの子機Ｉ／Ｆ１０５ａを介して子機スピーカ１３ａに伝送されることにより、モニタ付親機２にて応答操作を行った居住者の音声が受話音として子機スピーカ１３ａから放音される。
【００６１】
一方、上述の通話ラインが形成された通話状態において、図３（ａ）のブロック図に示すカメラ付玄関子機１ａの子機マイク１２ａへと入力された来訪者の音声信号Ｓ40は、子機Ｉ／Ｆ１０５ａから親機接続ケーブルＬ1a、図３（ｂ）のブロック図に示すモニタ付親機２の親機Ｉ／Ｆ２０７、親機ハウリング防止回路２０３を介して親機スピーカ用パワーアンプ２０２に搭載された図４の回路ブロック図に示すＤ級アンプ４００の変調部４１０へと伝送される。
【００６２】
図４の回路ブロック図において、図３（ｂ）のブロック図に示すモニタ付親機２の親機スピーカ用パワーアンプ２０２に搭載されたＤ級アンプ４００の変調部４１０は、入力された音声信号Ｓ40についてＰＷＭおよびΣΔ変調方式のうち何れかの変調方式を用いて変調させたデジタル信号形式のパルス信号Ｓ40aを出力する。また、電力スイッチ４１１ａ、４１１ｂは、パルス信号Ｓ40aのＨ／ＬのタイミングでＯＮ／ＯＦＦが交互に切り換わり、親機電源回路２０１から親機スピーカ２０への電源供給時間をパルス幅に基づいて制御する。さらに、高周波除去回路４１２は、電力スイッチ４１１ａ、４１１ｂのスイッチングにより発生する高周波成分が上述の音声信号Ｓ40に重畳されることを防止するため、この高周波成分を除去して復調させたアナログ信号形式の音声信号Ｓ40bを生成し、親機スピーカ２０へと出力することにより、カメラ付玄関子機１ａにて呼出操作を行った来訪者の音声が受話音として親機スピーカ２０から放音され、特に、居住者にとっては、来訪者の映像を確認しながら通話を成立させることができる。
【００６３】
なお、図３（ｂ）のブロック図において、モニタ付親機２の親機ハウリング防止回路２０３は、親機マイク２１からの音声信号Ｓ30を親機マイク用パワーアンプ２０６を介して親機Ｉ／Ｆ２０７へと伝送させる場合には、親機Ｉ／Ｆ２０７から親機スピーカ用パワーアンプ２０２への信号伝送路を遮断することにより、親機スピーカ２０から放音された来訪者の音声の親機マイク２１への帰還、すなわち、ハウリングの発生が防止され良好な通話音質を確保できる。
【００６４】
上述のように、本発明の第２の実施例によるインターホン装置によれば、図３（ｂ）、（ｃ）の各ブロック図に示すモニタ付親機２の親機スピーカ用パワーアンプ２０２および親機マイク用パワーアンプ２０６、（２台の）モニタ付増設親機３ａ、３ｂの増設親機ススピーカ用パワーアンプ３０２ａ、３０２ｂおよび増設親機マイク用パワーアンプ３０６ａ、３０６ｂとして、電力変換効率が高く熱の発生による電力損失が小さい図４の回路ブロック図に示す構成のＤ級アンプ４００を搭載させることにより、当該モニタ付親機、モニタ付増設親機の各機器にて設定される電源供給の電圧レベルを低いレベルで確保でき省電力化および通信伝達距離の延長化が図られる。
【００６５】
また、本発明の第１、第２の各実施例においては、図２（ａ）、図３（ａ）の各ブロック図に示す（２台の）カメラ付玄関子機１ａ、１ｂに備えられる映像変調回路１０２ａ、１０２ｂとして、上述の子機スピーカ用パワーアンプ１０３ａ、１０３ｂ等と同様、電力変換効率が高く熱の発生による電力損失が小さい図４の回路ブロック図に示す構成のＤ級アンプ４００を搭載した当該映像変調回路も好適とされ、この映像変調回路を適用することにより、当該カメラ付玄関子機にて設定される電源供給の電圧レベルを低いレベルで確保でき省電力化が図られる。
【００６６】
さらに、本発明の第１、第２の各実施例においては、少なくとも１台の玄関子機について映像の撮像／信号処理機能を有する、すなわち、カメラ１１ａ、１１ｂ、映像変調回路１０２ａ、１０２ｂを有する２台のカメラ付玄関子機１ａ、１ｂを適用し、親機および少なくとも１台の増設親機についても映像の信号処理／出画機能を有する、すなわち、親機映像復調回路２０４および増設親機映像復調回路３０４ａ、３０４ｂ、親機モニタ２３および増設親機モニタ３３ａ、３３ｂを有するモニタ付親機２および２台のモニタ増設親機３ａ、３ｂを適用したが、玄関子機として上述の映像の撮像／信号処理機能が不備である当該玄関子機、親機および増設親機として上述の映像の信号処理／出画機能が不備である当該親機および増設親機を適用した場合でも上述と同様な効果を奏する。
【図面の簡単な説明】
【００６７】
【図１】図１は、本発明の第１、第２の各実施例によるインターホン装置を示すシステム構成図である。
【図２】図２（ａ）、（ｂ）、（ｃ）は、本発明の第１の実施例によるインターホン装置において、カメラ付玄関子機、モニタ付親機、モニタ付増設親機の構成をそれぞれ示すブロック図である。
【図３】図３（ａ）、（ｂ）、（ｃ）は、本発明の第２の実施例によるインターホン装置において、カメラ付玄関子機、モニタ付親機、モニタ付増設親機の構成をそれぞれ示すブロック図である。
【図４】図４は、本発明の第１、第２の各実施例によるインターホン装置において、カメラ付玄関子機、モニタ付親機、モニタ付増設親機の各機器のパワーアンプに搭載されるＤ級アンプの構成を示す回路ブロック図である。
【図５】図５は、従来例のインターホン装置を示すシステム構成図である。
【符号の説明】
【００６８】
１ａ、１ｂ……カメラ付玄関子機（玄関子機）
１１ａ、１１ｂ……カメラ
１２ａ、１２ｂ……子機マイク（マイク）
１３ａ、１３ｂ……子機スピーカ（スピーカ）
１０２ａ、１０２ｂ……映像変調回路
１０３ａ、１０３ｂ……子機スピーカ用パワーアンプ（パワーアンプ）
１０４ａ、１０４ｂ、１０５ａ、１０５ｂ……子機Ｉ／Ｆ（インターフェース）
２……モニタ付親機
２０……親機スピーカ（スピーカ）
２１……親機マイク（マイク）
２３……親機モニタ（モニタ）
２０２……親機スピーカ用パワーアンプ（パワーアンプ）
２０３……親機ハウリング防止回路（ハウリング防止回路）
２０４……親機映像復調回路（映像復調回路）
２０５、２０７……親機Ｉ／Ｆ（インターフェース）
２０６……親機マイク用パワーアンプ（パワーアンプ）
３ａ、３ｂ……モニタ付増設親機
３０ａ、３０ｂ……増設親機スピーカ（スピーカ）
３１ａ、３１ｂ……増設親機マイク（マイク）
３３ａ、３３ｂ……増設親機モニタ（モニタ）
３０２ａ、３０２ｂ……増設親機スピーカ用パワーアンプ（パワーアンプ）
３０３ａ、３０３ｂ……増設親機ハウリング防止回路（ハウリング防止回路）
３０４ａ、３０４ｂ……増設親機映像復調回路（映像復調回路）
３０５ａ、３０５ｂ、３０７ａ、３０７ｂ……増設親機Ｉ／Ｆ（インターフェース）
３０６ａ、３０６ｂ……増設親機マイク用パワーアンプ（パワーアンプ）
Ｌ1a、Ｌ1b……親機接続ケーブル（２線ケーブル）
Ｌ2a、Ｌ2b……増設親機接続ケーブル（２線ケーブル）
【図１】
2005159890.tif 000003
【図２】
2005159890.tif 000004
【図３】
2005159890.tif 000005
【図４】
2005159890.tif 000006
【図５】
2005159890.tif 000007